(57)【特許請求の範囲】
【請求項１】
ゴム手袋等の廃棄物を投入して破砕する処理室の底面に、モータにより回転駆動する円盤状の回転刃を配設したものにおいて、上記処理室内に冷却風を送風する送風機を設けると共に、この送風機による送風の一部を上記処理室の外周壁面に送風する事を特徴とする廃棄物破砕装置。
【請求項２】
上記処理室を円筒状に形成し、かつ上記送風機の送風口を送風が上記処理室の接線方向で、かつ上記回転刃の回転方向に流入する様に上記処理室の側壁に連結した事を特徴とする、上記請求項１に記載の廃棄物破砕装置。
【請求項３】
上記送風機の送風口の開口面積よりも上記処理室の側壁に開口した流入口の開口面積を少なく設定すると共に、上記送風口の周囲に上記処理室の外周壁に送風する分岐送風口を設けた事を特徴とする、上記請求項１又は２に記載の廃棄物破砕装置。
【発明の詳細な説明】
【０００１】
【発明の属する技術分野】
本発明は、特に微生物での分解が困難なゴム手袋等の廃棄物を破砕する廃棄物破砕装置に関する。
【０００２】
【従来の技術】
医療廃棄物や発泡プラスチック等の乾燥した廃棄物を破砕する破砕機として、例えば特開平６−３２７９９５号公報に示されるものがあり、この場合、モータ等によって回転される皿型のシュレッダ要素５０に乾燥廃棄物を破砕する為のブレード５２、６２を設け、これらブレードと廃棄物との衝突により廃棄物を破砕すると共に、シュレッダ要素の底にインペラ・ブレード３８を設け、破砕機内に空気を吸入して開口１８から排出する様に構成しているが、弾力性のあるゴム手袋等の廃棄物を破砕する場合、廃棄物と破砕機との摩擦によりシュレッダ要素の周囲壁が温度上昇し、廃棄物の溶着や、シュレッダ要素を回転するモータの過熱を招く等の問題がある。
【０００３】
【発明が解決しようとする課題】
そこで本発明は、ゴム手袋等の廃棄物を収納して破砕する処理室の室壁や処理室内の温度上昇を防止する事を目的とするものである。
【０００４】
【課題を解決するための手段】
本発明は、ゴム手袋等の廃棄物を投入して破砕する処理室の底面に、モータにより回転駆動する円盤状の回転刃を配設したものにおいて、処理室内に冷却風を送風する送風機を設けると共に、この送風機による送風の一部を処理室の外周壁面に送風して成るものである。
【０００５】
又本発明は、処理室を円筒状に形成し、かつ送風機の送風口を送風が処理室の接線方向で、かつ回転刃の回転方向に流入する様に処理室の側壁に連結して成るものである。
【０００６】
更に本発明は、送風機の送風口の開口面積よりも処理室の側壁に開口した流入口の開口面積を少なく設定すると共に、送風口の周囲に処理室の外周壁に送風する分岐送風口を設けて成るものである。
【０００７】
【発明の実施の形態】
本発明による実施例を図１及び図２に基づき説明すると、１は装置本体で、外装ケース２の内部に上面に投入口３を開口した有底筒状の処理室４を区画形成している。
【０００８】
５は上記処理室４の底面にて、モータ６の回転軸７に軸支して配設したステンレス等の金属板製で円盤状の回転刃で、上記処理室４に面する上面に、ステンレス等の金属材から成る複数の破砕刃８・・を突設している。
【０００９】
尚、上記実施例では、図３及び図４にても示す様に、回転刃５の上面の外周と内周に上記複数の破砕刃８・・を突設し、かつこれら破砕刃を矩形状に形成しているが、破砕刃８・・の形状を三角形状や針状としても良く、回転刃５を板金にて形成して破砕刃８・・を切起しにより形成しても良い。
【００１０】
又、上記回転刃５の外周縁と上記処理室４の内壁面９との間には、約１ｍｍの間隙９を設けていると共に、上記回転刃５の下方に排出通路１０を設け、かつこの排出通路の下流に、破砕されて落下した粉末状の破砕片を受けるトレー１１を出し入れ自在に装着している。
【００１１】
尚、上記投入口３は蓋１２により開閉自在に閉塞している。
【００１２】
１３は、送風口１４を上記処理室４の側壁上部に開口した流入口１５に連通連結した送風機で、この流入口から噴出する送風が上記処理室４の接線方向で、かつ図２中に矢印にて示す上記回転刃５の回転方向に流入する様に装着している。
【００１３】
又上記送風口１４は、上記流入口１５よりも開口（断面）面積を大きく設定していると共に、その周側壁に分岐送風口１７を開口し、かつ上記処理室４の外周に仕切壁１８を設け、上記分岐送風口１７から噴出した風が上記処理室４の外壁面を通過して該部を冷却する様に構成している。
【００１４】
これにより、上記送風機１３による送風の一部を流入口１５より処理室４内に送風して上記破砕刃８・・とゴム手袋等の廃棄物との摩擦により発生した熱を冷却し、処理室４内部の温度上昇を防止すると同時に、送風の一部を上記分岐送風口１７より処理室４の外周に送風して外壁を冷却し、この処理室の内壁と廃棄物との摩擦による処理室４の室壁の温度上昇を防止するものである。
【００１５】
尚、上記実施例では図示していないが、上記排出通路１０下流のトレー１１上方等に排気口を設け、上記処理室４内に流入した送風を排出通路を通して排出する様に構成すれば、廃棄物の破砕により発生した破砕片を、上記送風機１３の送風を利用して効率的にトレー１１内に誘導する事が出来る。
【００１６】
而して、ゴム手袋等の廃棄物の処理に際しては、先ず処理したい廃棄物を投入口３より処理室４内に投入した後蓋１２を閉じ、次いでモータ６に通電して回転刃５を回転駆動することで、この回転刃に突設した破砕刃８・・がゴム手袋等の廃棄物に接触して効率的に切断し、破砕する。
【００１７】
そして破砕されて粉末状になった破砕片は、間隙９を通過して排出通路１０内に落下した後、トレー１１内に落下して集められるものである。
【００１８】
又、送風機１３の回転により、送風の一部が流入口１５より処理室４内にその接線方向より流入して処理室内を回転刃５の回転方向と同じ方向に旋回し、この処理室内壁や廃棄物、回転刃５等を冷却すると共に、送風の一部は分岐送風口１７より処理室４の外壁に沿って流れ、この処理室の室壁を冷却する。
【００１９】
【発明の効果】
本発明は、廃棄物を投入して破砕する処理室の底面に円盤状の回転刃を配設したものにおいて、処理室内に冷却風を送風する送風機による送風の一部を処理室の外周壁に送風するもので、これにより、送風機を追加することなく、処理室の内外を同時に効率的に冷却し、廃棄物と処理室室壁との摩擦により処理室の室壁が加熱されても、これを効率的に冷却し、室壁の過熱による廃棄物の室壁への溶着等を防止するものである。
【００２０】
又本発明は、送風機の送風を処理室内に供給する送風口を処理室の接線方向で、かつ送風が回転刃の回転方向に流入する様に処理室の側壁に連結したもので、これにより、送風機の送風が回転刃の回転による廃棄物の移動を妨げることなく、処理室の室壁や回転刃、廃棄物等を効率的に冷却し、温度上昇による廃棄物の溶着や、回転刃を回転するモータの過熱等を防止するものである。
【００２１】
更に本発明は、送風機の送風口の開口面積よりも処理室の側壁に開口した送風の流入口の開口面積を少なくして送風口の周囲に分岐送風口を設けたもので、これにより、送風機の送風を処理室の周囲に導くための送風ダクト等を設けることなく、比較的簡単な構成にて処理室周囲に冷却風を送風し、処理室の室壁等の温度上昇を防止する事が出来るものである。
【図面の簡単な説明】
【図１】本発明の実施例を示す側面縦断面図である。
【図２】同じく平面断面図である。
【図３】本発明による破砕刃の実施例を示す平面図である。
【図４】同じく破砕刃の実施例を示す側面図である。
【符号の説明】
４    処理室
５    回転刃
６    モータ
１３  送風機
１４  送風口
１５  流入口
１７  分岐送風口
【図１】
0003600045.tif 000002
【図２】
0003600045.tif 000003
【図３】
0003600045.tif 000004
【図４】
0003600045.tif 000005